(57)【要約】  フレーミングシステムを特定するシステム及び方法であって、複数のウィンドウ領域を除いてマスキング面と通る光の経路を一般に遮蔽するマスキング面を保持する、位置決め特徴を有する保持領域を有するフレーミングシステムを特定するステップと、複数の位置決め特徴の関連する１つを用いてレシーバ媒体の各々の参照エッジが位置付けられるときに、複数のウィンドウ領域の１つと対応して複数の画像受容領域を提供するように複数の重なり合いレシーバ媒体の配置を決定するステップと、決定された配置に従って複数のレシーバ媒体シートの画像受容領域において画像を印刷するステップと、を有するシステム及び方法であって、前記決定するステップは、２つのレシーバ媒体間の何れかの重なり合いエッジがウィンドウ領域の何れかの外側に位置決めされるように、そして選択された画像の少なくとも部分がウィンドウ領域内に位置決めされるよう実行される。
2011529582.tif 000002
【特許請求の範囲】
【請求項１】
印刷システムを作動する方法であって：
光が保持領域に入る及び出るようにする光透過性領域を有するフレーミングシステムを特定するステップであって、一般に光透過性である少なくとも２つのウィンドウ領域を除いて、マスキング面を通る光の経路を一般に遮蔽する前記マスキング面により、光透過性領域との位置合わせでマスキング面を保持するように適合された複数の位置決め特徴を保持領域が有する、ステップ；
前記複数の位置決め特徴の関連する１つの位置決め特徴を用いて、複数のレシーバ媒体の各々の参照エッジが位置付けられるとき、少なくとも１つのウィンドウの一のウィンドウに関連して各々位置決めされる複数の画像受容領域を提供するように、複数の重なり合いレシーバ媒体の配置を決定するステップ；並びに
前記決定された配置に従って、前記複数のレシーバ媒体の前記画像受容領域に画像を印刷するステップ；  
を有する方法であり、
前記決定するステップは、前記複数の重なり合いレシーバ媒体の何れかの２つの間の何れかの重なり合いエッジが前記マスキング面の少なくとも２つのウィンドウ領域の外側に位置決めされるような、そして関連する前記位置決め特徴に対して位置決めされる前記複数のレシーバ媒体の各々のそれぞれの一のレシーバ媒体のそれぞれの参照エッジと共に、前記複数のレシーバ媒体の各々が前記マスキング面の下に位置付けられるとき、前記選択された画像の少なくとも一の画像が前記少なくとも２つのウィンドウ領域の各々において位置付けられるような方式で、実行される；
方法。
【請求項２】
請求項１に記載の方法であって、前記複数の重なり合いレシーバ媒体は、前記複数のレシーバ媒体の何れかの１つのレシーバ媒体のアスペクト比、高さ又は幅と異なる組み合わされたアスペクト比、高さ又は幅を有する、方法。
【請求項３】
請求項１に記載の方法であって、前記複数の重なり合いレシーバ媒体の各々は、大きさ、形又はアスペクト比が前記複数のレシーバ媒体の少なくとも他の１つのレシーバ媒体と同じである又は異なることが可能である、方法。
【請求項４】
請求項１に記載の方法であって、前記複数のレシーバ媒体の複数の異なる配置は、関連する前記位置決め特徴に対して位置決めされた前記複数のレシーバ媒体の各々の前記それぞれの参照エッジと共に、前記複数のレシーバ媒体の各々が前記フレーミングシステムにおいて位置付けられるとき、前記少なくとも２つのウィンドウ領域の何れかの一の内側に位置決めされた前記複数の重なり合いレシーバ媒体の何れか２つの重なり合いレシーバ媒体間で何れの重なり合いエッジを有することなく、前記複数のレジー場媒体の複数の異なる配置が提供され、そしてユーザ入力が、前記複数のレシーバ媒体の前記複数の異なる配置のどれが用いられるかを決定するように求められる、方法。
【請求項５】
請求項１に記載の方法であって、前記複数のレシーバ媒体に画像を印刷するステップは、単独のプリンタ若しくは２つ又はそれ以上のプリンタを用いて実行される、方法。
【請求項６】
複数の画像をフレーミングする方法であって：
マスキングシステムを通る光の経路を遮蔽する複数のウィンドウ領域間の画像内マスキング領域及びレシーバ媒体の方に光が前記マスキングシステムを通ることを可能にする、複数の光透過性ウィンドウ領域を規定する前記マスキングシステムにより、画像レシーバ媒体と共に位置合わせしてマスキングシステムを保持する領域を有するフレーミングシステムを特定するステップ；
レシーバ媒体に複数の画像を印刷するための印刷マップを生成するステップであって、前記印刷マップは、前記マスキングシステムの前記光透過性ウィンドウ領域及び前記印刷マップと共に用いるための画像の選択を受け入れるステップ；並びに
前記印刷マップの印刷において用いられる印刷システムが単独のレシーバ媒体のシートを用いて全体的な印刷マップを記録することができないことを判定し、そのような判定に応じて、第１レシーバ媒体を用いて前記印刷マップの第１部分を記録するための第１印刷サブマップ及び第２レシーバ媒体を用いて前記印刷マップの第２部分を記録するための第１印刷サブマップを用いて、前記印刷マップの第１部分を記録するための第１印刷サブマップを生成するステップ；
を有する方法であり、
第１印刷マップ及び第２印刷マップが、前記複数の光透過性ウィンドウ領域の１つの光透過性ウィンドウ領域を通して見るための複数の画像受容部分の各々を位置決めするように重ね合わせて前記フレーミングシステムにおいて保持されることが可能であるように、そして、前記第１レシーバ媒体と前記第２レシーバ媒体との間の重ね合わせエッジが前記画像間マスキング領域によりマスキングされるように位置決めされる；
方法。
【請求項７】
請求項６に記載の方法であって、前記第１レシーバ媒体に前記第１印刷サブマップを印刷するステップと、前記第２レシーバ媒体に前記第２印刷サブマップを印刷するステップとを更に有する、方法。
【請求項８】
請求項７に記載の方法であって、前記第１レシーバ媒体及び前記第２レシーバ媒体を印刷するステップは同じプリンタ又は異なるプリンタで行われることが可能である、方法。
【請求項９】
請求項６に記載の方法であって、前記第１レシーバ媒体は、前記第２レシーバ媒体と異なる大きさ、形及びアスペクト比を有する、方法。
【請求項１０】
印刷システムを作動させる方法であって：
光透過性領域及び保持領域を有するフレーミングシステムを特定するステップであって、前記光透過性領域は、光が前記保持領域に入る又は前記保持領域から出るようにし、前記保持領域は、前記光透過性領域との位置合わせにおいて複数の異なるマスキング面の何れかを保持するように適合された複数の位置決め特徴を有する、ステップ；並びに
重なり合いレシーバ媒体の複数の配置の１つの配置及び前記フレーミングシステムにより保持されることが可能である前記複数の異なるマスキング面の１つのマスキング面の少なくとも１つの組み合わせを自動的に決定するステップであって、複数の重なり合いレシーバ媒体の各々が、関連する位置決め特徴に対して位置決めされたそれぞれの参照エッジを有する前記フレーミングシステムにおいて保持されるときに、そして、前記複数の異なるマスキング面の決定された１つのマスキング面が、マスキング面位置決め特徴に対して位置決めされた参照エッジを有するフレーミングシステムにおいて位置付けられるときに、前記複数の重なり合いレシーバ媒体の何れかの２つの間の何れかのエッジが前記複数の異なるマスキング面の前記決定された１つのマスキング面の少なくとも１つのウィンドウ領域の何れかの外側に位置付けられるようにするように、前記決定するステップは行われる、ステップ；
を有する方法。
【請求項１１】
請求項１０に記載の方法であって、前記自動的に決定するステップは、少なくとも２つの異なる大きさ合わせされた又は形状合わせされたレシーバ媒体の利用可能性に基づいて行われる、方法。
【請求項１２】
請求項１０に記載の方法であって、選択された画像を有する前記複数の重なり合いレシーバ媒体の各々を印刷するステップを更に有する、方法。
【請求項１３】
複数の外側及び複数の内側と、前記フレームの１つ又はそれ以上の内側に沿って複数の位置決め特徴とを有するフレームであって、各々の位置決め特徴は、１つ又はそれ以上のマスキング面と、複数のレシーバ媒体の１つ又はそれ以上とを保持することが可能であり、前記マスキング面は、光の透過のための２つ又はそれ以上のウィンドウ領域を有する、フレーム；
前記複数のレシーバ媒体の配置を決定するコンピュータであって、各々のレシーバ媒体は、前記マスキング面の前記２つ又はそれ以上のウィンドウ領域の少なくとも１つのウィンドウ領域と各々の画像受容領域との間の一致性を提供するように、前記フレーム内に、少なくとも１つの画像受容領域を有する、コンピュータ；及び
前記複数のレシーバ媒体の各々の１つ又はそれ以上の画像受容領域を印刷する印刷システム；
を有するフレーミングシステム。
【請求項１４】
請求項１３に記載のフレーミングシステムであって、前記印刷システムは、単独のプリンタ若しくは２つ又はそれ以上のプリンタのネットワークを有する、フレーミングシステム。
【発明の詳細な説明】
【技術分野】
【０００１】
本発明は、画像が改善されたプロダクトを生成する分野に関し、特に、部分的にマスキングされた画像を保持する画像改善フレーミングシステムの生成及び製造に関する。
【背景技術】
【０００２】
個人的な画像コラージュ、衣服、アルバム及び他の画像改善アイテムについては、印刷技術及びディジタル技術がコストを改善する及びコストを減少されるにつれて、小売レベルでかなり入手可能になってきている。しかしながら、個人的な画像保持プロダクトを供給する能力がより入手可能になるにつれて、そのような能力の目新しさ及び認識される価値が減じられてきた。従って、消費者は、かなり目が肥えるようになってきていて、より継ぎ目のない且つ統合された方式でカスタマイズされた複数の画像を保持するアイテムを探索するようになってきている。しかしながら、殆どの消費者は、そのようなアイテムを成功裏に習得する必要がある芸術的な、審美的な及び技術的な能力を備えることはない。消費者には、このタスクを有効に実行するために必要な時間がしばしばないのである。
【０００３】
フレーミングシステム及びマスキングシステムの組み合わせにおける複数のウィンドウ開口内に配置された画像に関連する困難さに、多くの消費者は特に関心がある。典型的には、このプロセスは、艶消し等の、マスキングシステムにおけるウィンドウの背後の従来の４"ｘ６"の写真等の個別の写真を配置すること、及びそれに次いで、配設されたマスキングシステムに各々の個別の画像を固定することを含む。これは困難であり、且つ時間を要するタスクであることが理解できる。更に、この従来の方法は、艶消しの特定のウィンドウが同じ画像の異なる部分を提示するように用いられる特定の芸術的様式、又は画像スケール、画像色調、画像色特性等の一貫した画像特性を有する艶消しの複数のウィンドウ領域における複数の画像を提供することが望ましい他の芸術的様式、と共に用いることは困難であることが理解できる。従来の方法は、例えば、非直線状に、曲線状に、又は他のパターン配置で配置された複数の画像を提供することが望ましい場合等に、ウィンドウ毎に複数の画像の一様な位置合わせの提供において、更に困難性が生じる。更に、顧客がウィンドウ内に位置付けることを望まない印刷画像の部分の大きさ及び形と一貫性があるように大きさ合わせされる及び／又は形合わせされる、ウィンドウを全てのマスクが提供する訳ではないことが理解できる。
【０００４】
他の関連技術においては、電子スクラップブック又はアルバムのページの生成を可能にするツールを顧客に提供することが知られている。これが行われる場合、消費者は、消費者が背景像、色又は他の視覚的効果を改善することが可能である、又は消費者が広範に及ぶ何れかの形式で個別の画像を位置付けることが可能であるディジタルキャンバスを生成する能力を備えることができる。しかしながら、そのようなディジタルシステムは、典型的には、実際のマスキングシステ又は艶消しシステムと共に用いるために適合されていない。特に、そのようなディジタルシステムは、生成されたアルバムページが単一のレシーバ媒体を用いて記録されることが可能である推定により動作する。従って、ユーザに対して有効であるフレーミングシステムの多様性は、アルバムのページが記録されることが可能であるレシーバ媒体により本来的に制限される。そのようなレシーバ媒体は、典型的には、電子スクラップブック又はアルバム習得ソフトウェアにより用いられるディジタルキャンバスの全てについて、大きさ、形状及び／又はアスペクト比配置の宣言を決定する。そのような電子スクラップブック又はアルバム習得ソフトウェアが、利用可能なレシーバ媒体の大きさ、形状及び／又はアスペクト比に対応していない大きさ及び／又はアスペクト比を有するフレーミングシステム及びマスキングシステムで用いるレシーバ媒体を生成するように用いられる場合、ユーザは、上記のマスキングシステムに印刷されたレシーバ媒体を手動で取り付ける課題を持ち続けることになる。
【０００５】
従って、当該技術分野において要請されているものは、従来のフレーミングシステム内に保持されるマスキングシステムのウィンドウ領域の配置との位置合わせで印刷されるレシーバ媒体が容易に位置決めされることが可能であるように、利用可能なレシーバ媒体に印刷される画像の配置を生成するシステムである。
【発明の概要】
【発明が解決しようとする課題】
【０００６】
画像改善プロダクトを提供する方法及びシステムについて開示されている。
【課題を解決するための手段】
【０００７】
一方法は、光が保持領域に入り、そして出るように、光透過性領域を有するフレーミングシステムを特定する段階であって、保持領域は、一般に光透過性である少なくとも２つのウィンドウ領域を除いてマスキング面を通る光の経路を一般に遮蔽刷る前記マスキング面により、光透過性領域との位置合わせによりマスキング面を保持するように適合された複数の位置合わせ特徴を有する、段階；レシーバ媒体の各々の参照エッジが複数の位置決め特徴の関連する位置決め特徴を用いて位置付けられるときに、少なくとも２つのウィンドウ領域の一と対応して各々位置決めされる複数の画像受容領域を提供するように複数の重なり合いレシーバ媒体の配置を決定する段階；及び、決定された配置に従って、複数のレシーバ媒体の画像受容領域に画像を印刷する段階；を有する、方法であり、前記決定するステップは、複数の重なり合いレシーバ媒体の何れか２つの間の何れかの重なり合いエッジが、マスキング面の少なくとも２つのウィンドウ領域の外側に位置付けられるように、そして関連する位置決め特徴に対して位置決めされる複数のレシーバ媒体の各々のそれぞれのレシーバ媒体のそれぞれの参照エッジを有するマスキング面の下に、複数のレシーバ媒体の各々が位置付けられるときには、複数の選択された画像の少なくとも１つの画像が、少なくとも２つのウィンドウ領域の各々において位置決めされるように、実行される。
【０００８】
本発明の上記の特徴及び目的と他の特徴及び目的並びにそれらを達成する方法は、添付する図に関連付けてより明らかになり、添付する図に関連付けて記載されている本発明の実施形態の以下の詳細説明を参照することにより更に理解することができる。
【図面の簡単な説明】
【０００９】
【図１】印刷システムの実施形態を示す図である。
【図２】図１の印刷システムにより用いられるワークステーション又はキオスクの実施形態を示す図である。
【図３】印刷方法の第１実施形態を示す図である。
【図４Ａ】フレーミングシステムの一実施例の平面図である。
【図４Ｂ】フレーミングシステムの一実施例の断面図である。
【図５】フレーミングシステムの一実施例の平面図である。
【図６Ａ】フレーミングシステム、マスキングシステム及び例示としての大きさを有するレシーバ媒体を有する例示としての実施形態の平面図である。
【図６Ｂ】フレーミングシステム、マスキングシステム及び例示としての大きさを有するレシーバ媒体を有する例示としての実施形態の断面図である。
【図６Ｃ】図６Ａ及び６Ｂの実施例と共に用いるための第１レシーバ媒体及び第２レシーバ媒体の印刷で用いる第１印刷サブマップ及び第２印刷サブマップを示す図である。
【図６Ｄ】ウィンドウ内領域によりマスキングされるようにレシーバ媒体間の重なり合いエッジがようにそれぞれのレシーバ媒体に記録される第１印刷サブマップ及び第２印刷サブマップを有する、組み立てられたフレーミングシステム、マスキングシステム及びレシーバ媒体の組み合わせの断面図である。
【図７Ａ】重なり合い領域がマスキングシステムのウィンドウ領域に見えるように許容されるときに、現れるものの実施例を示す図である。
【図７Ｂ】重なり合い領域がマスキングシステムのウィンドウ領域に見えるように許容されるときに、現れるものの実施例を示す図である。
【図８Ａ】本発明の一実施形態に従って備えられるフレーミングシステムを示す図である。
【図８Ｂ】本発明の一実施形態に従って備えられるフレーミングシステムを示す図である。
【図９】印刷マップの選択肢を提示するスクリーン画像を示す図である。
【図１０】選択されるときに、ディスプレイに提示されるもののスクリーン画像を示す図である。
【図１１】３つのレシーバ媒体を用いるレシーバ媒体の異なる配置の実施例を示す図である。
【図１２】３つのレシーバ媒体を用いるレシーバ媒体の異なる配置の実施例を示す図である。
【図１３】印刷システムを動作させる方法の他の実施形態を示すフロー図である。
【図１４】フレーミングシステム１０で用いるレシーバ媒体のマスキングシステム配置の組み合わせの自動選択を可能にするように用いられる種々の分析を示す図である。
【図１５】印刷システムを動作させる方法の他の実施形態を示すフロー図である。
【発明を実施するための形態】
【００１０】
全ての図における同じ構成要素を参照できるように、同じ参照番号が本明細書を通して用いられる。
【００１１】
図１は、出力物を生成する電子システム２０の第１実施形態を示している。図１の実施形態においては、電子システム２０は、ハウジング２１と、コンテンツデータファイルのソース２２と、ユーザ入力システム２６と、プロセッサ３４に接続された出力システム２８とを有する。コンテンツデータファイルのソース２２、ユーザ入力システム２６又は出力システム２８の１つ又はそれ以上、及びプロセッサ３４は、図示しているように、ハウジング２１内に位置付けられることが可能である。他の実施形態においては、コンテンツデータファイルのソース２２、ユーザ入力システム２６又は出力システム２８の１つ又はそれ以上の回路及びシステムは、ハウジング２１の外側の全部又は一部に位置付けられることが可能である。
【００１２】
コンテンツデータファイルのソース２２は、プロセッサ３４にディジタルデータを供給する何れかの形式の電子回路又はシステム若しくは他の回路又はシステムを有することが可能である。コンテンツデータファイルは、例えば、出力を生成するための基準の少なくとも一部として用いることが可能である静止画像、画像列、グラフィック、テキスト、記号、シンボル及び／又はビデオグラフィックを含む何れかのディジタルデータの形式を有することが可能であるが、それに限定されるものではない。コンテンツデータファイルのソース２２は、電子システム２０に位置付けられた捕捉装置を用いることによりコンテンツデータファイルで用いるためのコンテンツデータを捕捉することが可能であり、並びに／若しくは、他の装置により又は他の装置を用いて、調整されたコンテンツデータファイルを得ることが可能である。図１の実施形態においては、コンテンツデータファイルのソース２２は、センサ３８と、メモリ４０と、通信システム５４とを有する。
【００１３】
センサ３８はオプションであり、システム２０の環境下で条件を検出し、且つ、この情報をシステム２０のプロセッサ３４により用いられる形式に変換するように用いられることが可能である、光センサ、生体センサ及び当業界で知られている他のセンサを有することが可能である。センサ３８は、発話コマンド又はディクテーション等の、システム２０のユーザにより発せられる音声を捕捉するように適合されたオーディオセンサ３９を有することも可能である。センサ３８は、声の抑揚、体の動き、眼の動き、瞳孔拡張等の肉体的及び精神的反応を不随意に測定する生体センサ又は他のセンサ、並びに体温センサも有することが可能であるが、それらに限定されるものではない。
【００１４】
メモリ４０は、固体装置、磁気装置、光学装置又は他のデータ記憶装置を含む従来のメモリ装置を有することが可能である。メモリ４０は、システム２０内に固定されることが可能であり、又は取り外し可能である。図１の実施形態においては、ハード装置４２と、光ディスクメモリ、磁気ディスクメモリ又は他のディスクメモリ（図示せず）等の取り外し可能ディスクのためのディスクドライブ４４と、取り外し可能なメモリカード等の取り外し可能メモリ４８を保持し、取り外し可能メモリ４８と通信する取り外し可能メモリインタフェース５０を有するメモリカードスロット４６と、を有するメモリ４０が示されている。制御プログラム、ディジタル画像及びメタデータを含むデータであって、それらに限定されないデータは、パーソナルコンピュータ、コンピュータネットワーク又は他のディジタルシステム等のリモートメモリシステム５２にも記憶されることが可能である。
【００１５】
図１に示す実施形態においては、システム２０は、この実施形態で、リモートメモリシステム５２、リモートディスプレイ５６及びリモート入力部５８と通信するように用いられることが可能である通信システムを有する。リモート入力ステーションは、従って、リモート入力ディスプレイ５６及び／又はリモート入力制御部５８を有するように備えられることが可能であり、リモート入力ステーションは、図示しているように、無線で通信システムと通信することが可能であり、又は有線で通信することが可能である。図１に示す実施形態においては、ローカルディスプレイ６６及びローカル入力制御部６８（本明細書ではまた、“ローカルユーザ入力部６８”という）のどちらか又は両方を有するローカル入力ステーションがプロセッサに直接接続されている。しかしながら、他の実施形態（図示せず）においては、そのようなローカル入力ステーションは、有線又は無線接続を用いて通信システム５４に接続されることが可能である。
【００１６】
通信システム５４は、例えば、光信号、高周波信号又は他の形式の信号を用いて、リモートメモリシステム５２又はリモートディスプレイ５６等のリモート装置に伝達されることが可能である形式に画像又は他のデータを変換する光学回路、高周波回路又は他の変換回路、若しくは他のシステムの１つ又はそれ以上を有することが可能である。通信システム５４はまた、ホストコンピュータ又はサーバコンピュータ又はネットワーク（図示せず）、リモートメモリシステム５２、若しくはリモート入力部５８からディジタル画像及び他のデータを受信するように用いられることが可能である。通信システム５４は、情報とそれにより受信された信号からの指令とを、プロセッサ３４に供給する。典型的には、通信システム５４は、従来の通信等のデータ転送ネットワーク又はインターネットなどのデータ転送ネットワーク；セルラー通信ネットワーク、ピアツーピア通信ネットワーク又は他の形式のモバイル通信ネットワーク；有線又は無線ローカルエリアネットワーク等のローカル通信ネットワーク；又は何れかの他の従来の有線又は無線データ転送システム等の通信ネットワークとしてリモートメモリシステム５２と通信するように適合されることができる。
【００１７】
ユーザ入力システム２６は、システム２０のユーザがプロセッサ３４に命令を提供する方法を提供する。このことは、そのようなユーザが出力プロダクトの生成で用いられるコンテンツデータファイルを指定し且つその出力プロダクトについての出力フォームを選択することを可能にする。ユーザ入力システム２６は、ユーザが出力プロダクトに組み込まれるようにコンテンツデータファイルを平均化し、組織化しそして編集し、ユーザ又は視聴者についての情報を提供し、ビデオデータ及びテキストデータ等のアノテーションデータを提供し、コンテンツデータファイルにおける特徴を特定し、下で記載されるようなシステム２０との他のインタラクションを実行することを可能にする、多様な他の目的のためにも用いられることが可能であるが、それらに限定されるものではない。
【００１８】
これに関連して、ユーザ入力システム２６は、ユーザからの入力を受信し、プロセッサ３４により用いられることが可能であるフォームにこの入力を変換することが可能であるトランスジューサ又は他の装置の何れかのフォームを有することが可能である。例えば、ユーザ入力システム２６は、タッチスクリーン入力、タッチパッド入力、４路スイッチ、６路スイッチ、８路スイッチ、スタイラスシステム、ジョイスティックシステム、音声認識システム、身振り認識システム、キーボード、リモートコントロール又は他のそのようなシステムを有することが可能である。図１に示す実施形態においては、ユーザ入力システム２６は、リモートキーボード５８ａ、リモートマウス５８ｂ及びリモートマウス５８ｃを有する任意のリモート制御部５８と、ローカルキーボード６８ａ及びローカルマウス６８ｂを有するローカル入力部６８とを有する。リモート入力部５８は、図１に示すリモートキーボード５８ａ、リモートマウス５８ｂ又はリモート制御可搬型装置５８ｃの何れかの組合せを有する種々の形式をとることが可能であるが、それらに限定されるものではない。同様に、ローカル入力部６８は種々の形式をとることが可能である。
【００１９】
図２に示すように、ローカルユーザ入力部６８は、編集スタジオ又はキオスク７０（以下、また、“編集領域７０”という）の形式をとることが可能である。この図においては、ユーザ７２は、ローカルキーボード６８ａ、ローカルマウス６８ｂ、及び、例えば、マルチメディアコンテンツを表示することが可能であるローカルディスプレイ６６を有するコンソールの前に腰掛けている。図２にまた、示しているように、編集領域７０は、カメラ、オーディオセンサ、製造セッション中にユーザ７２を監視することが可能であるマルチスペクトルセンサ等の他のセンサを有するセンサ３８を有することが可能であるが、それらに限定されるものではない。
【００２０】
出力システム２８（図１）は、画像改善可能アイテムが画像改善プロダクトに変換されることを可能にするように、画像、テキスト又は他のグラフィカル表現をレンダリングするように用いられる。これに関連して、出力システム２８は、プリンタ２９を有する、画像を印刷する又は記録するために知られている何れかの従来の構造又はシステムを有することが可能である。例えば、他の実施形態においては、出力システム２８は複数のプリンタ２９を有することが可能であり、複数のプリンタ又は複数のプリンタのネットワークに対して印刷することが可能である。それら複数のプリンタのうちの各々のプリンタは、それら複数のプリンタのうちの少なくとも１つの他のプリンタと同じ種類のプリンタ又は異なる種類のプリンタを有することが可能である。プリンタ２９は、従来の４色オフセット分離印刷又は他の接触印刷、スクリーン印刷、乾式電子写真（イーストマンコダック社（米国ニューヨーク州ロチェスター市）製のＮｅｗＰｒｅｓｓ  ２１００で用いられている）、及び連続インクジェット技術を含む種々の従来の技術を用いて、レシーバ媒体に画像を記録することが可能であるが、それらに限定されるものではない。本明細書の以下の目的のために、プリンタ２９については、カラー画像を生成するタイプを有するように説明される。しかしながら、このことは必ずしも必要でなく、特許請求の範囲に記載されている方法及び装置については、ここでは、白黒画像、階調画像又はセピア調画像等のモノトーン画像を印刷するプリンタにより実行されることが可能であることが理解できる。特定の実施形態においては、コンテンツデータファイルのソース２２，ユーザ入力システム２６及び出力システム２８は複数の構成要素を共有することが可能であることが理解できる。
【００２１】
プロセッサ３４は、ユーザ入力システム２６、センサ３８、メモリ４０及び通信システム５４からの信号に基づくシステム２０を動作させる。プロセッサ３４は、プログラマブルディジタルコンピュータ、プログラマブルマイクロプロセッサ、プログラマブルロジックプロセッサ、一連の電子回路、集積回路の形式まで小型化された一連の電子回路又は一連の個別の構成要素を有することが可能であるが、それらに限定されるものではない。
【００２２】
図３は、例えば、図１及び２の印刷システムにより実行されることが可能である印刷方法の第１実施形態を示している。図３に示す実施形態においては、その方法の第１ステップは、構造フレームの光送信領域との位置合わせでマスキングシステムを位置付ける位置付け特徴を有する構造フレームを有するフレーミングシステムを特定するステップ（ステップ８０）を有する。マスキングシステムは、光がマスキングシステムを通る光の経路を遮る複数のウィンドウ間のウィンドウ間マスキング領域及び画像レシーバ媒体の方にマスキングシステムを通って進むことを可能にする複数の光送信ウィンドウを規定する。
【００２３】
一般に、フレーミングシステムは、画像が形成され、定位され、又は光が複数のウィンドウを通ることを除いて、マスキングシステムを有効に通ることができず、位置決めにおいてレシーバ媒体及びマスキングシステムを位置付けることを支援する特徴を位置付けることができないように、レシーバ媒体部分をマスキングするマスキングシステムにより位置決めにおいて提供される、レシーバ媒体を位置付けることが可能である何れかの構造を有することが可能である。これに関連して、フレーミングシステムは、位置決めでマスキング面及びレシーバ媒体を位置付けるように設計されることが可能である、Ｔシャツ、ネクタイ、トートバッグ、エプロン、ベイビーワンシー（ｏｎｅｓｉｅ）、作業着、郵便用ラベル、ギフトタグ又は何れかの他の具体的なものを含む、コラージュ、アルバム、スクラップブック、写真カレンダ、マグカップ、ジョッキ、カップ、脚付きグラス、宝石、タイル、モザイク、家庭用装飾、マウスパッド、枕カバー、ペン及び鉛筆ホルダ、キャンバス上のフォトリアリスティック画像、記念写真立て、フリースの毛布、コースター、フレーム、飾り、トランプ、パズル、テディーベア又は他の動物のぬいぐるみ、壁紙、パッケージング、衣服及びアクセサリーの何れかを含む多様なものの形態をフレーミングシステムがとることが可能であることが理解できる。
【００２４】
図４Ａ及び４Ｂは、フレーミングシステム１００の１つの平面図及び断面図のそれぞれを示しているが、それに限定されるものではない。図４Ａ及び４Ｂに集合的に示されているように、この実施形態においては、フレーミングシステム１００は、マスキングシステム１１８及び重ね合わせレシーバ媒体２４ａ及び２４ｂが内部領域１０６での位置合わせで維持されることが可能であるように、マスキングシステム１１８と重ね合わせレシーバ媒体２４ａ及び２４ｂとを位置付けるように適合されるエッジ１０８、１１０、１１２及び１１４の周を有する位置付け特徴を有する内部領域１０６及び光送信領域１０４を伴って、外郭フレーム１０２を有する。図４Ｂにおけるマスキングシステム１１８とレシーバ媒体２４ａ及び２４ｂについて示している厚さはスケーリングされていず、本記載の明確化のためにのみ与えられていることが理解できる。他の実施形態においては、位置付け特徴について、レシーバ媒体のシートについて知られている何れかの従来技術を利用することが可能であることも理解できる。更に、２つ又はそれ以上のレシーバ媒体が用いられることが可能であることが理解できる。
【００２５】
図４Ａ及び４Ｂの実施形態においては、ウィンドウ１３０、１３２及び１３４と共に位置合わせされるレシーバ媒体２４ａ及び２４ｂの部分１４０、１４２及び１４４がフレーミングシステム１００の外側に見えるように、マスキングシステム１１８は、光がマスキングシステム１１８を通るようにする複数のウィンドウ１３０、１３２及び１３４を規定する一方、レシーバ媒体２４ａ及び２４ｂの他の部分はマスキングシステム１１８のウィンドウ間マスキング領域１３６によりビューから遮蔽される。
【００２６】
ウィンドウ１３０、１３２及び１３４は本質的に透明であり、マスキングシステム１１８を貫く開口を任意に有することが可能である。しかしながら、種々の実施形態においては、ウィンドウ１３０、１３２及び１３４は、光が修正された様式で通ることが可能である透明な材料又は半透明な材料等の光透過性材料を有することが可能である。例えば、ウィンドウ１３０、１３２及び１３４の１つ又はそれ以上は、要求に応じてフィルタリングし、緩和し、選択的に遮蔽し、又は通過する光を再方向付けすることが可能である。特定の実施形態においては、液晶又は他の選択的に光を遮蔽する材料が、ウィンドウ１３０、１３２及び１３４の何れかの一における半透明材料として用いられることが可能である。上記のフィルタリング、緩和及び／又は選択的遮蔽は芸術的目的又は審美的目的のために実行されることが可能である一方、同じ又は他の実施形態においては、上記のフィルタリング、緩和及び／又は選択的遮蔽は、光がマスキングシステム１１８又はレシーバ媒体２４を損傷し得る、若しくはそれらに記録される画像を損傷し得る種類のものである場合等に、安全確保されることが可能である。
【００２７】
一実施形態においては、光透過性領域１０４を通る環境光又は他の光は、マスキングシステム１１８の方に又はレシーバ媒体２４ａ及び２４ｂの一の方に進む。この光は、画像１４０、１４２及び１４４により、又はマスキングシステム１１８のウィンドウ内領域１３６により反射的に変調され、その変調された光がフレーミングシステム１００の外側で視認可能であるように、光透過性領域１０４を通って戻る。これに関連して、光透過性領域１０４は、例えば、観測者とフレーミングシステム１００及びレシーバ媒体２４ａ及び２４ｂとの間に、開口を有することが可能であるが、それに限定されるものではない。代替として、光透過性領域１０４は、上記の光透過性材料の何れかを有する光透過性材料を有することが可能であるが、それに限定されるものではない。
【００２８】
図４Ａ及び４Ｂの実施形態においては、内部領域１０６はまた、例えば、内部領域において規定されるフック取り付け部等の取り付け構造（図示せず）を有する任意の支持サポート１２８を保持するように大きさ合わせされる又は整形されることが可能である。他の実施形態においては、内部構造１０６は、マスキングシステム１１８及びレシーバ媒体２４を保護する及び／又は保持するように従来のデザインのガラス若しくは他の透明な又は半透明なシート（図示せず）等の保護層を保持するように、任意に大きさ合わせされることが可能である。保護層は、光透過性領域１０４と同じ又は異なることが可能である。
【００２９】
図５は、ポケット領域を形成するように取り付けられる又は統合的に形成されるバッグ１５０及びマスキングシステム１５２の構造的外側ファブリック等の基板１５１を有する従来のトートバッグ１５０を有するフレーミングシステム１００の他の実施例を示している。ポケット領域は、図５に示しているように、レシーバ媒体が位置付けられることが可能である取り付けステッチ１６０、１６２及び１６４に備えられた三方位置決め特徴、並びに、レシーバ媒体２４が挿入されることが可能である非縫合部１６６であることが可能である。ウィンドウ領域１５４、１５６及び１５８は、光がポケット領域内に位置決めされた何れかのレシーバ媒体の方に又はそのレシーバ媒体の方から進むことを可能にする。そのポケット領域は、何れかの大きさ及び形状であることが可能である。ポケット領域は、接着、縫い合わせ、ステイプル、リベット又は何れかの他の固定手段により取り付けられることが可能である。ポケット領域の少なくとも一方側は、レシーバ媒体の挿入を受け入れるように操作可能である。開口はフラップによりカバーされることが可能であり、又はある固定手段により閉じられることが可能であり、その固定手段は、レシーバ媒体が挿入された後に永続的に閉じられることが可能であり、それ故、レシーバ媒体は、要求に応じて、代替のレシーバ媒体と置き換え可能である。
【００３０】
ここで、図３を再び参照するに、ステップ８０については、フレーミングシステム１００は、ユーザ７２によりなされた選択に基づいて特定されることが可能であることが理解できる。典型的には、このフレーミングシステム１００のユーザ選択は、いつ、ユーザ７２がユーザ入力行動を起こし、複数のフレーミングシステムの一の選択としてプロセッサ３４により解釈されることが可能である信号を生成するかを検出するユーザ入力システム２６から受信される。ユーザによるそのような手動入力は、当業者に知られている、通信システム５４を介してそのような入力を受信することを有する他の方式で、受信されることも可能であるが、それに限定されるものではない。
【００３１】
代替として、フレーミングシステム１００は、ユーザ７２又はある他のひとに関する記憶されている情報に基づいて特定されることが可能であり、その記憶されている情報は、ユーザの好み、過去のユーザのインタラクション及び他の因子を有することが可能であるが、それらに限定されるものではない。例えば、システム２０が最適化される、又は１種類のみのフレーミングシステムと共に用いるように構成されることが決定されたときに、そのような特定が自動的に行われることを理解することが可能である。
【００３２】
特定の実施形態においては、印刷された情報、又はテキストデータ、画像、パターン、形等を含むフレーミングシステム１００に関連して記録される情報を読み取ることにより、フレーミングシステム１００は特定されることが可能であるが、それらに限定されるものではない。例えば、殆どのプロダクトは、販売されるプロダクトを一意に特定するバーコード、透かし、テキスト、コード、及び無線識別子等の識別子に関連付けられる。フレーミングシステム１００がそのような識別子と関連付けられる場合、ユーザ入力２６は、識別子が読み取られるようにフレーミングシステム１００が提示されることが可能である従来の設計の適切なリーダを有することが可能である。代替として、ユーザは、ユーザ入力システム２６に識別子を手動で入力することが可能である。
【００３３】
印刷マップは、その場合、特定されたフレーミングシステム１００での使用のための画像を印刷するように生成される（ステップ８２）。印刷マップは、マスキングシステム１１８の光透過性ウィンドウ領域に対応する複数の画像受容部分を規定する。この検討のために、フレーミングシステム１００が一意に関連付けられるマスキングシステム１１８を有することが前提とされる。しかしながら、このことは重要ではなく、特定の実施形態においては、フレーミングシステムを特定するステップ（ステップ８２）は、フレーミングシステムで用いるためのマスキングシステム１１８を別個に特定することも、有することが可能である。そのような別個の特定は、フレーミングシステム１００を特定するように用いられる技術を用いて、又はマスク、マッティング（ｍａｔｔｉｎｇ）システム又は文書を特定するために知られている何れかの従来の技術を用いて、行われることが可能である。
【００３４】
画像が印刷マップに従ってレシーバ媒体２４に印刷されるときに、複数の画像受容部分の配置が、光がレシーバ媒体２４に及びそのレシーバ媒体２４から進むことを可能にするマスキング面１１８の複数のウィンドウの配置と対応するように、印刷マップは、複数の画像記録部分の配置を規定する。この実施形態においては、各々の画像受容部分は、少なくとも、レシーバ媒体２４において画像受容領域の位置を規定する形状及び位置情報により規定される。
【００３５】
画像受容部分の形状は、画像処理、幾何学、コンピュータサイエンス及び／又は他の関連技術の技術において知られている形状を規定する、知られている幾何学的構成、数学的アルゴリズム、若しくは何れかの他の形式又は方式を参照することにより規定されることが可能である。画像受容部分はまた、自由形式、きまぐれ（ｗｈｉｍｓｉｃａｌ）、若しくは貝、動物、野菜又は他の自然の特徴であることが可能である。
【００３６】
位置情報は、ある方式で、少なくとも１つの画像受容部分の形状が規定されるようになっているレシーバ媒体２４における位置又は場所を規定する。位置情報は、何れかの既知の様式で位置付けられることが可能である。例えば、限定的でなく、位置情報は、フレーミングシステム１００のエッジ位置、及び／又は境界若しくは何れかの他のクランピング又は保持構造等の、フレーミングシステム１００の所定の特徴に基づいて、フレーミングシステム１００の位置決め特徴に関連して画像受容部分の形状の位置を規定することが可能である。又はレシーバ媒体２４における穿孔、エッジ位置、透かし、基準、他の参照構造、マーカー、印刷テキスト、印刷画像、継ぎ目位置、繊維パターン、若しくは他の可視的又は触覚特徴等のレシーバ媒体２４の所定の特徴に対してウィンドウ形状の位置を規定することが可能である。他の非制限的な実施例においては、位置情報は、レシーバ媒体２４に加えられる他の面の位置に基づいて、ウィンドウについての位置を規定することが可能である。
【００３７】
他の実施形態においては、システム２０は、フレーミングシステム１００の画像を捕捉するように備えられることが可能である従来の設計のスキャナ又は画像捕捉装置等の画像入力ソースを組み込むユーザ入力システム２６を有することが可能である。この画像は、その場合、例えば、印刷マップの決定を可能にするように十分に詳細にフレーミングシステム１００又はマスキングシステム１１８を特定するように上で説明しているように用いられることが可能であるフレーミングシステム１００についての識別子を決定するように検査されることが可能である。レシーバ媒体２４が位置決めされるようになっているマスキングシステム１１８をフレーミングシステム１００が有する状況下で、この画像は、知られている画像分析技術を介して印刷マップを決定するように分析されることが可能である。
【００３８】
印刷マップと共に用いるための画像の選択が、次いで、受信される（ステップ８４）。これは、何れかの数の従来の方式で行われる。例えば、限定的でなく、システム２０のユーザが、システム２０に統合されるメモリに記憶される、又はメモリカード等のシステム２０に接続されることが可能である、ユーザにより捕捉された画像又は蓄えられている画像等のディジタル画像を有する場合、ユーザ７２は、ディジタル画像のうちのどれが印刷マップで用いられるようになっているかを特定するように、ユーザ入力システム２６を用いることが可能である。代替として、システム７２のユーザ７２は、印刷マップで用いるための画像の外部に記憶されているデータベースをシステム２０が参照するようにするように、ユーザ入力システム２６を用いることが可能である。
【００３９】
一実施形態においては、印刷マップを決定するステップ（ステップ８２）及び複数のディジタル場像の選択を受信するステップ（ステップ８４）が組み合わされることが可能である。この種類の一非制限的実施例においては、ユーザ７２が、印刷マップにより規定される画像受容部分に対して規定された画像の配置を与えるように、ユーザが選択された画像をドラッグアンドドロップする、又は位置決めして、任意に大きさ合わせされることが可能である、テンプレート、図面又は他の視覚的表現をユーザが提示されることが可能である。受信された画像は、次いで、印刷マップの複数の画像記録部分に組み込まれる（ステップ８６）。代替の実施形態においては、ユーザ７２は画像を選択することが可能であり、印刷マップは、画像数及び／又はユーザにより選択された画像の方向に基づいて、自動的に生成されることが可能である。
【００４０】
次いで、印刷マップの印刷において用いられるようになっているプリンタ２９が、単独のレシーバ媒体２４を用いて全体的な印刷マップを記録することが可能であるかどうかが判定される（ステップ８８）。典型的には、この判定は、単独のレシーバ媒体２４が印刷マップと同程度の大きさであるかどうか、又は全体的な印刷マップが記録されることを可能にするように整形されるかどうかに基づいて、行われる。図３に示しているように、全体の印刷マップが単独のレシーバ媒体２４を用いて記録されることが可能であることを決定する状況下で、プロセスは、印刷マップがレシーバ媒体２４に１つ又はそれ以上の画像を記録するように用いられるステップ９０に進む。
【００４１】
しかしながら、プリンタ２９又は複数のプリンタ２９が、印刷マップが単独のレシーバ媒体２４を用いて全体の印刷マップを記録することができない印刷で用いられるようになっている出力システム２８で有効である場合に、プロセッサ３４は、第１記録媒体２４ａに印刷マップの第１部分を記録し、第２レシーバ媒体２４ｂに印刷マップの第２部分を記録するための印刷サブマップを生成する。第１レシーバ媒体２４ａ及び第２レシーバ媒体２４ｂが第１印刷サブマップ及び第２印刷サブマップに従って印刷されるときに、並びに第１レシーバ媒体２４ａ及び第２レシーバ媒体２４ｂが重ね合わせ方式でフレーミングシステムに維持されるときに、画像受容部分の各々がウィンドウ領域の一を通して見えるように位置決めされ、第２レシーバ媒体２４ｂが、マスキングシステム１１８のウィンドウ内領域１３６によりマスキング又はカバーされるように位置決めされるように、第１印刷サブマップ及び第２印刷サブマップが生成される。印刷マップの複数の印刷サブマップへの分割が、何れかの数の従来の方式で実行されることが可能である。一非制限的実施例においては、有効なレシーバ媒体の大きさ及び形状を表す幾何学的テンプレートが、上記の要求と適合する印刷サブマップの組み合せが達成されるまで、種々の反復において印刷マップ内で仮想的にマッピングされることが可能である。代替として、他の非制限的な実施例で、各々のマスキングシステム又はフレーミングシステムは、適切な印刷サブマップが決定されるデータと、メモリ４０又はリモートメモリ５２において関連付けられることが可能である。サブマップの使用は、２つ又はそれ以上の何れかの数の受容マップを用いることが可能であるが、典型的には、レシーバ媒体は印刷マップ内の画像数以下である。
【００４２】
複数の印刷マップの解決方法の実施例を図６Ａに示している。この実施例においては、システム２０の印刷システム２８は、６インチの幅及び８インチの高さを有する第１レシーバ媒体２４ａ及び第２レシーバ媒体２４ｂに印刷画像をレンダリングすることを前提としている。しかしながら、この実施例においては、図４Ａ及び４Ｂに示されている種類のフレーミングシステム１００は、この実施例の目的のために、領域１０６において１１インチの幅及び８インチの高さを有するレシーバ媒体２４を保持するのに十分に大きい大きさを有する。この実施例においては、フレーミング及びマスキングシステム１００が、約１１インチの幅と８インチの高さを有するマスキングシステム１１８を有するように示され、プロセッサは、同様に１１インチの幅と８インチの高さに大きさ合わせされたフレーミングシステム１００と共に用いるための印刷マップ９５を生成する。そのような印刷マップの実施例を図６Ｂに示している。
【００４３】
上記の状況下で、プロセッサ３４は、ステップ９０において、印刷マップが、１つ又はそれ以上の有効な大きさの単独のレシーバ媒体を用いて、記録することができないことを決定する。従って、第１レシーバ媒体２４ａ及び第２レシーバ媒体２４ｂの重複する組み合わせを用いることは必須である。従って、図６Ｃに示しているように、プロセッサ３４は、第１レシーバ媒体２４ａを用いて図６Ｂの印刷マップ９５の第１部分を記録するための第１印刷サブマップ９７と、第２レシーバ媒体２４ｂを用いて図６Ｂの印刷マップ９５の第２部分を記録するための第２印刷マップ９９とを決定する（ステップ９４）。
【００４４】
図６Ｄは、フレーミングシステム１００と、マスキングシステム１１８と、第１レシーバ媒体２４ａと、第２レシーバ媒体２４ｂとの組み立てられた組み合わせの断面図である。この組み合わせの外観は、レシーバ媒体２４ａ及び２４ｂの重なり合ったシート上に記録された画像が、単一のレシーバ媒体上に記録されたように現れ、従って、マスキングシステム１１８の複数のウィンドウの一内で視認可能であるレシーバ媒体２４の何れかの重なり合いエッジを伴わずにこの組み立てられた組み合わせにおいて現れる、範囲における大きい部分に依存することが理解できる。この実施例においては、その効果は、第１レシーバ媒体２４ａ及び第２レシーバ媒体２４ｂの重なり合いエッジを設定することにより、従って、マスク１１８により隠すことにより得られる。
【００４５】
図７Ａ及び７Ｂは、重なり合いエッジがマスキングシステム１１８のウィンドウ領域内に現れることが許可されるときに現れるものの実施例を示している。便宜上、この実施例においては、１１インチの幅及び８インチの高さになるように大きさ合わせされ、レシーバ媒体シート２４ａ及び２４ｂが尚も６インチの幅を有するが、マスキングシステム１１８の幅は９インチに減少された状況下で用いられる、図４Ａ及び４Ｂのフレーミングシステム１００の実施形態を用いる。この実施例は、フレーミングシステム１００内で第１レシーバ媒体２４ａ及び第２レシーバ媒体２４ｂのそれぞれと共に用いられる第１印刷サブマップ１７０及び第２印刷サブマップ１７２の１つの有効な配置を示している。
【００４６】
図７Ａ及び７Ｂの配置においては、第１レシーバ媒体シート２４ａは第２レシーバ媒体２４ｂの下に位置付けられている。この実施形態に示しているように、この配置は、第２レシーバ媒体２４ｂの重なり合うエッジ１６２がウィンドウ１３０内に位置付けられるようにしている。従って、画像１４０は２つの部分、即ち、第１レシーバ媒体及び第２部分上に印刷される画像１４０Ａと、第２レシーバ媒体２４ｂ上の画像１４２及び１４４に沿ってマッピングされた画像１４０Ｂとに分けられる必要がある。このことが現れることが許可されている図７Ａ及び７Ｂから分かるように、重なり合いエッジ１６２は、明らかにウィンドウ１３０内で視認可能である。これは、受け入れられない画像アーティファクトをもたらす。
【００４７】
上記のように、図６Ａ乃至６Ｄを参照するに、図７Ａに示されている結果を回避するように、レシーバ媒体２４ａ及び２４ｂ間の重なり合いエッジがマスキングシステム１１８のウィンドウ内領域１３６によりマスキングされるように位置決めされるようにする方式で、第１印刷サブマップ及び第２印刷サブマップがレシーバ媒体２４ａ及び２４ｂに記録されるように、プロセッサ３４は第１印刷サブマップ及び第２印刷サブマップを生成する。更に、下で説明しているように、そのような印刷は、各々のレシーバ媒体がフレーミングシステム１００の領域１０６における複数の位置決め特徴の少なくとも１つに関連して位置決めされることを前提として、行われる。
【００４８】
２つの又はそれ以上のレシーバ媒体の好適な配置が図８Ａ及び８Ｂに示されていて、それらの図においては、図７Ａ及び７Ｂに関連付けて説明しているものと同じマスキングシステム１１８及びレシーバ媒体２４を有するフレーミングシステム１００が示されている。ここで例示しているように、プロセッサ３４は、第２レシーバ媒体２４ｂが第１レシーバ媒体２４ａの下に位置決めされることを前提として、第１印刷サブマップ及び第２印刷サブマップを決定する。プロセッサ３４は、その場合、第１レシーバ媒体２４ａ上に画像１４０及び１４２を位置決めする第１印刷サブマップ１７４と、第２印刷媒体２４ｂ上に画像１４４を位置決めする第２印刷サブマップ１７６とを生成する。この実施例においては、プロセッサ３４は、第１レシーバ媒体２４ａがフレーミングシステムの領域１０６における第１位置決め特徴１０８に対して位置決めされるときに、第２レシーバ媒体２４ｂと重なり合う第１レシーバ媒体２４ａの重なり合いエッジ１６３はマスキングシステム１１８のウィンドウ内領域１３６の下に位置決めされ、従って、ウィンドウ内領域１３６によりマスキングされるために、実質的にはっきり見えない、又は実質的に不可視的である。この実施例においては、プロセッサ３４は、画像１４０及び１４２がマスキングシステム１１８のウィンドウ１３０及び１３２と位置合わせされるように、第１レシーバ媒体２４ａの基準エッジ及びマスキングシステム１３０のエッジ１３１が位置決め特徴１０８に対して位置決めされることを前提として、第１印刷サブマップを更に決定する。
【００４９】
図８Ａ及び８Ｂにも示しているように、レシーバ媒体２４ｂの基準エッジ１６５が領域１０６の第２の異なる位置決め特徴１６５に対して位置決めされるときに、画像１４４がウィンドウ１３４を通して視認できるように適切に位置決めされるように、第２印刷サブマップ１７６は規定される。更に、第２レシーバ媒体２４ｂのアンダーラップエッジ１６７は第１レシーバ媒体２４ａの下に位置決めされ、従って、第１レシーバ媒体２４ａによりマスキングされ、それ故、ウィンドウ１３０を通して視認できない。
【００５０】
この結果は受け入れられる外観を有する。従って、このように配置されるとき、有効なレシーバ媒体シートの大きさに対応しない大きさ又はアスペクト比を有するレシーバ媒体２４の単独のシートの有効な外観を有するように設定されることが可能である複数のレシーバ媒体シート２４ａ、２４ｂとのフレームシステム１００及びマスキングシステム１１８の組み合わせを提供することが可能になる。
【００５１】
従って、この実施例においては、プロセッサ３４は第１印刷サブマップ１７４及び第２印刷サブマップ１７６を決定し、それらの第１印刷サブマップ１７４及び第２印刷サブマップ１７６は、第１レシーバ媒体シート２４ａ及び第２レシーバ媒体シート２４ｂがフレーミングシステム１００における位置決め特徴に関して印刷されるようにする。これは、印刷サブマップ（１０８、１１０）の決定において参照として用いられた位置決め特徴に対してレシーバ媒体２４ａ及び２４ｂの位置決め特徴（１６１、１６５）を容易に位置付けることにより、互いに関して及びマスキングシステム１３０に関して第１レシーバ媒体シート２４ａ及び第２レシーバ媒体シート２４ｂが位置決めされることを可能にするように、行われる。例えば、個別のレシーバ媒体がフレーミングシステム１００の光透過性領域１０４全体の軸を横切って延在することが可能でない場合に、複数のレシーバ媒体がしばしば用いられる点で、典型的には、異なるレシーバ媒体は、フレーミングシステム１００の複数の位置決め特徴の異なる位置決め特徴に関して印刷される。これは、レシーバ媒体シート２４ａ及び２４ｂを位置決めするタスクをかなり容易にし、それらのレシーバ媒体シート２４ａ及び２４ｂは、マスキングシステム１１８のウィンドウ内領域１３６によりカバーされる位置に位置付けられた第１レシーバ媒体シート２４ａと第２レシーバ媒体シート２４ｂとの間の重ね合わせエッジと確実に重なり合う。
【００５２】
例えば、図８Ａ及び８Ｂのフレーミングシステム１００を購入し、システム２０が第１レシーバ媒体シート２４ａ及び第２レシーバ媒体シート２４ｂを生成することを要求する消費者は、マスキングシステム１１８と左右方向に正確に位置合わせされることを保証するように、位置決め特徴１０８に対して第１レシーバ媒体シート２４ａの参照エッジ１６１を位置決めすることにより組み合わせプロジェクト（ｐｒｏｊｅｃｔ）を容易に組み立てることが可能であり、そして、その場合、第２レシーバ媒体シート２４ｂがマスキングシステム１１８及び第１レシーバ媒体シート２４ａの両方と左右方向に位置合わせされることを保証するように、位置決め特徴１１０に対して第２レシーバ媒体シート２４ｂの参照エッジ１６５を位置付けることが可能である。任意に、追加の位置決め特徴が、例えば、位置決め特徴１１２及び／又は１１４等の追加の位置決め特徴と第１レシーバ媒体シート２４ａ及び／又は第２レシーバ媒体シート２４ｂを位置合わせするように、用いられることが可能である。
【００５３】
位置決め特徴は、光透過性領域のまわりの周の第１左右方向位置決め特徴１０８と、周の第２左右方向エッジにおける第１左右方向位置決め特徴１０８とは反対に位置決めされた第２左右方向位置決め特徴１１０と、を有する光透過性領域のまわりの周に備えられた位置決め特徴１０８、１１０、１１２及び１１４のパターンを有することが可能である。第１レシーバ媒体は、第１左右方向位置決め特徴１０８により決定される第１左右方向位置に位置決めされ、第２レシーバシートは、第２左右方向位置決め特徴１１０により決定される左右方向に位置決めされる。
【００５４】
特定の実施形態においては、２つ以上の印刷マップが、何れかの特定のマスキングシステム１１８と共に用いるために利用可能である。そのような実施形態においては、システム２０は、ユーザが、複数の利用可能な印刷マップ間から印刷マップを選択するように、ユーザ入力システム２６を用いて入力することを要求することが可能である。図９に示されている一実施形態においては、ディスプレイ６６に表示されるスクリーン画像は、追加の印刷マップオプションを求めるように、オプションボタン１７７及び、フレーミングシステムと共に用いられる複数の利用可能な印刷マップ１７１、１７３及び１７５を提示する。
【００５５】
例示している実施形態においては、印刷マップの１つ（１７１）は、垂直方向に方向付けられた１つの大きな画像１８０と２つの小さな画像１８２とを有する一方、印刷マップ２（１７３）は、垂直方向に方向付けられた１つの大きな画像１８０と４つの小さな画像１８２とを有する。印刷マップ３（１７５）は、４つの小さな画像１８２と１つのランドスケープ又は広いアスペクト比の画像１８４とを有する。オプションの選択に満足しないユーザは、例えば、画像改善アイテムと関連付けられることが可能であるマップから追加の印刷マップを得ることが可能であるボタン１７７を用いて、更なるオプションの選択を行うことが可能である。４つ以上の印刷マップが利用可能でない場合、追加のオプションのボタン１７６は、システム２０の提示から省略されることが可能である。図１０に示しているように、印刷マップの１つの選択はプロセッサ３４により検知され、選択されたマスキングシステム１１８がどこで又はどのように得られるかに関して、ユーザに対して助言するように用いられることが可能である。例えば、選択されたマスキングシステム１１８は、特定の大きさ合わせされたフレームと共に用いるために、市販の艶消しとして入手可能であり、又は店又はオンラインで販売されることが可能である。
【００５６】
特定の実施形態においては、印刷マップにおける画像を印刷するために用いられるレシーバ媒体の配置は、印刷マップの形、大きさ又は他の構成と整合性が取れた形、大きさ又は他の構成を提供する必要はない。それに代えて、プロセッサ３４は、マスキングシステム１１８のウィンドウにおいて重なり合いエッジの露出を伴わずに印刷マップにおける画像の印刷を可能にするように用いられるレシーバ媒体の配置における種々の異なる形、大きさ又は構成を用いることが可能である。
【００５７】
異なる大きさの配置及び／又は構成の一実施例を、図１１及び１２の実施例により示している。図１１に示しているように、対応するマスキングシステムと共に用いるための画像を印刷するようにユーザが印刷マップ１７３を選択するとき、プロセッサ３４は、レシーバ媒体２４ａ、２４ｂ又は２４ｃの単一のシートが印刷マップ全体を受容するように用いられることができないことを決定する。従って、プロセッサ３４は、小さい画像１８２及び大きい画像１８０を受け入れるように、複数のレシーバ媒体２４ａ、２４ｂ及び２４ｃの配置を決定する。
【００５８】
図１１及び１２に示しているように、レシーバ媒体２４の幅寸法が与えられる場合、重なり合いエッジを露出することなく、第１レシーバ媒体２４ａ又は第２レシーバ媒体２４ｂのどちらかに大きい画像１８０を完全に印刷することは可能でない。この条件が受け入れられないために、プロセッサ３４は、その場合、大きい画像１８０が、画像内領域１３６の下の第３レシーバ媒体の何れかの重なり合いエッジを尚もマスキングしている間に、第３レシーバ媒体２４ｃに記録されることが可能であるかどうかを調べる。プロセッサ３４が、これが可能であることを判定するとき、プロセッサ３４は、上記のように、第１印刷サブマップ及び第２印刷サブマップを生成するように続けて、更に第３印刷サブマップを決定する。第３印刷サブマップは、第１印刷サブマップ及び第２印刷サブマップに対して上記と同じように決定される。第１レシーバ媒体２４ａ、第２レシーバ媒体２４ｂ及び第３レシーバ媒体２４ｃは、第１印刷サブマップ、第２印刷サブマップ及び第３印刷サブマップのそれぞれに従って印刷される。
【００５９】
プロセッサ３４は、何れの重なり合いエッジもマスキングシステム１１８によりマスキングされるように、レシーバ媒体がフレーミングシステム１００内に位置付けられることが可能である限り、選択されたレシーバ媒体の複数の画像の各々について画像受け入れ領域を提供するように、何れかの可能性のあるレシーバ媒体数及び何れかの可能性のある印刷サブマップ数を用いることが可能である。複数のエッジの重なり合いは、水平方向、鉛直方向又は角度付けされた方向にあることが可能である。３つ又はそれ以上のレシーバ媒体が利用される場合、２レシーバ媒体の各々の集合は、２レシーバ媒体の何れかの他の集合と同じ方向に又は異なる方向に重なり合うことが可能である。
【００６０】
図１３は、印刷システム２０を動作させる方法の他の実施形態を示している。この実施形態においては、プロセッサ３４は、マスキングシステム１１８の選択において支援する機会が与えられる。この実施形態において示されているように、フレーミングシステムは、光が保持領域に入る及び保持領域から出ることを可能にするように設定された光透過性領域と、光透過性領域による登録において複数の異なるようにウィンドウ化されたマスキングシステムの何れかを保持することが可能である保持領域と、を有することを特定する。保持領域は、複数の位置決め特徴に対して少なくとも一部分で規定される複数の一における複数のレシーバ媒体を保持するように更に設定される。本明細書における説明目的で、特定されたフレーミングシステムは複数のレシーバ媒体を必要とするシステムであることを前提としている。
【００６１】
ユーザ７２は、その場合、一般に上記のように又は何れかの従来の方式におけるように行われることが可能である、フレーミングシステムにおける位置決めのための画像の選択を提供する（ステップ２０２）。
【００６２】
プロセッサ３４は、その場合、フレーミングシステム１００により保持されることが可能である複数のレシーバ媒体を重ね合わせる複数の有効な配置の１つ及び複数の可能性のあるマスキングシステムの１つの少なくとも１つの組み合わせを決定する（ステップ２０４）。図１３に示している実施形態においては、プロセッサ３４は先ず。複数の有効なマスキングシステムのうちのどれがフレーミングシステム１００により保持されることが可能であるかを特定する。プロセッサ３４は、次いで、特定されたマスキングシステムのうちのどれが選択された画像を提示するために用いられることが可能であるかを評価する（ステップ２０６）。しばしば、これは、特定された画像の数に等しいウィンドウの数を提供するマスキングシステムのみを選択することを含む。しかしながら、これは、１つのウィンドウにおける複数の画像又は複数のウィンドウにおける単一の画像を提示するために用いられることが可能であるようにパターン化されるウィンドウを有することが可能であるために、必ずしもそのようではない。プロセッサ３４は、マスキングシステムに関連する記憶されたデータに基づいて、又は画像等のマスキングシステム１１８を表示するデータの分析に基づいて、そのようなマスキングシステム１１８を特定することが可能である。
【００６３】
有効なマスキングシステムを特定した後、プロセッサ３４は、次いで、それらが組み合わされたマスキングシステムのウィンドウ内領域１３６によりマスキングされる位置の配置において隣接する複数のレシーバ媒体の各々の重なり合いエッジを位置付け、特定された画像の各々についての画像受容領域を提供することが可能である方式でフレーミングシステム１００により保持されることが可能である、レシーバ媒体の配置を決定する（ステップ２０８）。
【００６４】
一部の場合、マスキングシステム１１８と、複数のレシーバ媒体の配置の１つの組み合わせのみが有効である。これが現れた場合、その有効な組み合わせは、システム２０のユーザ７２に対して提示されることが可能であり、ユーザは、そのような組み合わせを受け入れる又は拒絶することが可能にされる。しかしながら、殆どの場合、複数の特定された組み合わせの中からの選択が必要である。そのような選択は、手動で又は自動的に行われることが可能である。
【００６５】
手動モードにおいては、何れかの従来の方式で、ユーザが複数の組み合わせの中から選択したことをプロセッサが判定することが可能であるプロセッサ３４に信号が送信されるようにするユーザ入力動作を取るユーザ入力システム３６を用いることが可能であるユーザに、利用可能なオプションが提示される。
【００６６】
自動モードにおいては、プロセッサ３４は、複数の異なる組み合わせから選択するように決定することにおいて複数の閾値基準の何れかを用いることが可能である。図１４に示すように、一基準は、アイテムのコストである。それは、プロセッサが組み合わせで用いられるマスキングシステム１１８又はレシーバ媒体のどちらか又はそれら両方の全体的なコスト組み合わせの低減に関する改善との可能性の高い組み合わせに関連するコストを自動的に分析することが可能であることである（ステップ２２０）。例えば、プロセッサ３４は、フレーミングシステム１００及びマスキングシステム１１８の要求を満足するように印刷される必要がある、減少されたレシーバ媒体２４の全体的な数を用いる組み合わせを選択するために、それらの組み合わせを分析するように、第１レベルで、設定されることが可能である。更に、特定のマスキングシステム１１８と関連するコストも、考慮されることが可能である。
【００６７】
同様に、組み立ての容易さは特定の環境における因子であり、従って、プロセッサ３４は、特定の組み合わせの困難さを分析することが可能であり、マスキングシステム１１８及びレシーバ媒体１２０の特定の組み合わせの選択における因子としてこの分析を用いることが可能である（ステップ２２２）。これは、フレーミングシステム１００が不規則に規定された光透過性領域１２６を有する場合に、マスキングシステム１１８が非規則な形状を有する場合に、又は位置決め特徴が領域１０６へのその配置のレシーバ媒体の組み合わせを容易に容易化することができない場合に、特にそうである。そのような状況下で、非直角の角度にある又は全てが位置合わせされて組み合わされるレシーバ媒体の配置を３つ以上のレシーバ媒体２４の使用が回避するような場合に、３つ以上のレシーバ媒体を用いてプロダクトを組み合わせることはより用意である。ここではまた、プロセッサ３４は、追加の印刷操作の要求を犠牲にしてさえ、より容易に組み合わせされる組み合わせのための優先性を任意に示すことが可能である。この設定は、ユーザ入力、ユーザの好み、予めプログラムされた好み等に基づいて行われることが可能である。
【００６８】
フレーミングシステム１００の位置決め特徴の配置は、マスキングシステム１１８及びレシーバ媒体２４の配置の選択における因子として分析されて、用いられることが可能である（ステップ２２４）。例えば、フレーミングシステム１００における位置決め特徴の配置は、レシーバ媒体の最小数より多く用いるための基準として用いられることが可能である。例えば、フレーミングシステム１００における位置決め特徴の分配は、レシーバ媒体の最小数以上の印刷要求を満足するように用いられるレシーバ媒体数を調節することにより、補償されることが可能である。典型的には、そのような配置は、上記のフレーミングシステムの特定から得られる情報に基づいて認識される。
【００６９】
プロセッサ３４は更に、方向の違いがレシーバ媒体数を減少させ、組み立てをより容易にし、又は画像又はウィンドウ領域の分布とより良好に位置合わせされることが可能であるために、ランドスケープの方向とポートレートの方向との間等のレシーバ媒体２４の配置の異なる方向を分析するように設定されることが可能である。
【００７０】
プロセッサ３４は、ユーザ７２が減少されたオプションの集合から選択することが可能であるように、自動的に選択されることが可能である単一の組み合わせに対する利用可能ナオプションの数、又はユーザ７２に提示されることが可能である減少された組み合わせの数、を減少させるようにそのような分析を用いることが可能である。
【００７１】
一旦、マスキング面１１８及びレシーバ媒体の配置が決定されると、印刷マップが上記のより詳細な説明で説明されている方式で決定されることが可能であることが理解できる（ステップ２１２）。印刷サブマップは、印刷マップに基づいて、各々のレシーバ媒体について決定されることが可能である（２１４）。印刷サブマップは、フレーミングシステム１００における複数の位置決め特徴の異なる一に対してレシーバ媒体の参照エッジを位置決めすることにより、その配置における各々のレシーバ媒体がその配置における他のレシーバ媒体と適切に位置合わせされることが可能であるように、レシーバ媒体の参照エッジに対して規定されることが可能である。
【００７２】
選択された画像は、印刷マップの画像記録位置に組み込まれ（ステップ２１４）、そのように決定された印刷サブマップ（ステップ２１６）は、レシーバ媒体の配置において用いられる個別のレシーバ媒体を印刷するために用いられる（ステップ２１８）。
【００７３】
図１５は、複数の位置決め特徴の異なる位置決め特徴に対して位置決めされた参照エッジを有する保持領域においてレシーバ媒体が位置付けられるとき、関連マスキング面のウィンドウ領域の外側に、何れかの２つの重なり合いレシーバ媒体シート間の何れかのエッジが位置決めされるようにするように行われる特定化との、レシーバ媒体シートの関連配置及び有効なマスキングシステムの少なくとも１つの組み合わせを特定するステップ２０４の他の実施形態を示している。具体的には、この実施形態においては、特定化ステップ２０４は、特定されたフレーミングシステムにより保持されることが可能であるレシーバ媒体の配置を先ず決定し、次いで、複数のマス金部システムのうちのどれが、決定されたレシーバ媒体の配置と共に用いるための画像受容領域を提供するようにフレーミングシステムにおいて用いられることが可能であるかを決定する、ことにより実行される（ステップ２０７）。
【００７４】
一実施形態においては、プロセッサ３４は、レシーバ媒体シートの各々の参照エッジが関連する位置決め特徴の一に対して位置決めされるときに、光透過性領域のフルカバーを与える複数の画像受容領域を与えるように備えられる複数の重なり合いレシーバ媒体シートの１つ又はそれ以上の配置を決定することが可能である。この方法は、用いられる配置が、画像が位置することが可能である全ての可能性の高い領域をカバーすることを要求する。そのような配置は、典型的には、レシーバ媒体の重なり合いエッジが画像受容領域の好適な位置決め又は好適なマスキングシステム１１８を妨害する可能性を低減するように構成される。
【００７５】
例えば、制限的ではなく、レシーバ媒体の配置が、各々のレシーバ媒体２４がフレーミングシステム１００の少なくとも１つの位置決め特徴に対して位置決めされることを可能にするように、光透過性領域１０４の大きさ及び形と、フレーミングシステム１００における位置決め特徴の配置とを有する、フレーミングシステムの大きさ、形及び他の特徴に基づいて、レシーバ媒体２４の配置も決定されることが可能である。
【００７６】
この決定が行われた後、例えば、レシーバ媒体の何れかの重なり合いエッジがマスキングシステム１１０によりマスキングされる要求及び画像数に基づいて、レシーバ媒体２４の各々の配置と共に用いるために、マスキングシステム１１８が選択されることが可能である（ステップ２０７）。ここではまた、複数の重なり合いレシーバ媒体シートの何れか２つにおける何れかのエッジが、関連する位置決め特徴に対して位置決めされるそれぞれの参照エッジと共に各々のレシーバ媒体がフレーミングシステムにおいて位置付けられるときに、及びマスキング面位置決め特徴に対して位置決めされる参照エッジと共にマスキング面がフレーミングシステムにおいて位置付けられるときに、マスキング面のウィンドウ領域において位置決めされるようになるようにしないように、レシーバ媒体の何れかの配置と共に用いるためのマスキングシステム１１８が選択される。
【００７７】
その場合、何れかの２つの重なり合いレシーバ媒体シートが、複数の位置決め特徴の異なる位置決め特徴に対して位置決めされる参照エッジと共にレシーバ媒体が保持領域において位置付けられるときに、関連マスキング面のウィンドウ領域の外側に位置決めされるようにするように実行される特定化と関連するレシーバ媒体の配置と有効なマスキングシステムとの少なくとも１つの組み合わせを、プロセッサ７４は選択する。これは、選択するステップ２１０に関連して一般に上記しているように、実行されることが可能である。
【００７８】
プロセッサは更に、フレーミングシステム１００により提供された複数の位置決め特徴の異なる位置決め特徴に対して位置決めされたレシーバ媒体の参照エッジと共にレシーバ媒体が保持領域において位置付けられるときに、そのような画像が選択されたマスキングシステムのウィンドウ領域と位置合わせされるように、レシーバ媒体シートの関連配置及びマスキングシステムの複数の組み合わせの一を選択し、複数のレシーバ媒体シートに画像を記録するように更に設定されることが可能である。
【００７９】
一部の実施例においては、印刷システム２９は、異なる大きさ合わせ又は形状合わせされたレシーバ媒体２４を用いて印刷することが可能であることを理解することができる。これが可能である場合、レシーバ媒体の配置を決定するステップ、例えば、ステップ２０５及び２０６は、マスキングシステム１１８のウィンドウと相互関連する画像受容領域を提供するように、フレーミングシステム１００により保持されることが可能である２つ又はそれ以上の重なり合いレシーバ媒体の配置を与えるように有利に用いられることが可能であるかどうかを考慮するように実行されることが可能である。同様に、コスト分析ステップ２２０、容易化された組み立て分析ステップ、位置決め特徴分析ステップ２２４、及び方向分析ステップ２２６等の種々の分析ステップが、そのような異なる大きさのレシーバ媒体の使用がまた、上記の方法で用いられることが可能である限り、他の大きさのレシーバ媒体の利用可能性により提供される可能性を十分に考慮して、実行されることが可能である。
【００８０】
そのような結果は、印刷される画像が特定の画像の大きさ及び／又はアスペクト比を必要とする要求を伴わずに、プリンタなどにより一般に生成される種々のレシーバ媒体の従来の大きさ及び／又は形状に適合しない大きさ及び形状のフレーム化画像プロダクトの生成をかなり容易にすることを理解することができる。
【図１】
2011529582.tif 000003
【図２】
2011529582.tif 000004
【図３】
2011529582.tif 000005
【図４Ａ】
2011529582.tif 000006
【図４Ｂ】
2011529582.tif 000007
【図５】
2011529582.tif 000008
【図６Ａ】
2011529582.tif 000009
【図６Ｂ】
2011529582.tif 000010
【図６Ｃ】
2011529582.tif 000011
【図６Ｄ】
2011529582.tif 000012
【図７Ａ】
2011529582.tif 000013
【図７Ｂ】
2011529582.tif 000014
【図８Ａ】
2011529582.tif 000015
【図８Ｂ】
2011529582.tif 000016
【図９】
2011529582.tif 000017
【図１０】
2011529582.tif 000018
【図１１】
2011529582.tif 000019
【図１２】
2011529582.tif 000020
【図１３】
2011529582.tif 000021
【図１４】
2011529582.tif 000022
【図１５】
2011529582.tif 000023
【国際調査報告】
2011529582.tif 000024
2011529582.tif 000025